(57)【特許請求の範囲】
【請求項１】
貯湯タンクと、該貯湯タンク内の湯水を加熱する第１熱源機と、前記貯湯タンクに接続された給水路及び給湯路と、前記給水路を前記貯湯タンクをバイパスさせて前記給湯路に接続するバイパス給水路と、前記給湯路と前記バイパス給水路との接続箇所に前記貯湯タンクから流入する湯水と前記バイパス給水路から流入する水との混合割合を可変的に制御可能に構成された混合割合調整弁と、前記バイパス給水路での水の逆流を防止するように該バイパス給水路に設けられた逆止弁と、前記接続箇所の下流側で前記給湯路を流れる湯水の温度を制御するための制御処理として、少なくとも前記混合割合調整弁を制御する処理を実行可能に構成された温調制御手段とを備える給湯システムであって、
前記バイパス給水路は、前記給水路と給湯路との間で互いに並列に接続された２つの通水路を備えており、
前記逆止弁は、前記バイパス給水路の２つの通水路のそれぞれに設けられており、
前記接続箇所に前記貯湯タンクから流入する湯水の流量である第１流量と、前記接続箇所に前記バイパス給水路から流入する水の流量である第２流量と、前記接続箇所から前記給湯路の下流側に流れる湯水の流量である第３流量とのうちの少なくとも２つの流量を検出する流量検出手段と、
前記混合割合調整弁があらかじめ定められた所定の動作状態に制御されているという条件を少なくとも満たす特定状態で前記給水路及び給湯路の通水が行われる運転中に前記流量検出手段により得られた２つの流量の検出値に基づいて、前記バイパス給水路に設けられた逆止弁のうちのいずれかの逆止弁の故障の発生の有無を検知する故障検知手段と、
該故障検知手段により前記いずれかの逆止弁の故障の発生が検知された場合に、あらかじめ定められた異常対応処理を実行する異常対応処理手段とを備えることを特徴とする給湯システム。
【請求項２】
請求項１記載の給湯システムにおいて、
前記故障検知手段は、前記２つの流量の検出値の比率と所定の判定閾値との大小関係の判定結果に基づいて、前記いずれかの逆止弁の故障の発生の有無を検知するように構成されていることを特徴とする給湯システム。
【請求項３】
請求項２記載の給湯システムにおいて、
前記流量検出手段が検出する流量は前記第３流量を含んでおり、
前記故障検知手段は、前記第３流量の検出値に応じて前記所定の判定閾値を可変的に設定する機能を含むことを特徴とする給湯システム。
【請求項４】
請求項２又は３記載の給湯システムにおいて、
前記故障検知手段は、前記比率と前記所定の判定閾値との大小関係が、あらかじめ定められた関係となる状態が、所定時間以上継続した場合に、前記いずれかの逆止弁の故障の発生を検知するように構成されていることを特徴とする給湯システム。
【請求項５】
請求項１〜４のいずれか１項に記載の給湯システムにおいて、
前記流量検出手段が検出する流量は前記第３流量を含んでおり、
前記特定状態は、前記混合割合調整弁が前記所定の動作状態に制御されているという条件に加えて、前記第３流量の検出値が所定値以上であるという条件をさらに満たす状態であることを特徴とする給湯システム。
【請求項６】
請求項１〜５のいずれか１項に記載の給湯システムにおいて、
前記混合割合調整弁の前記所定の動作状態は、前記バイパス給水路に設けられた全ての前記逆止弁が正常である場合における前記給水路及び給湯路の通水時に、前記第１流量よりも前記第２流量の方が大きくなる動作状態であることを特徴とする給湯システム。
【請求項７】
請求項１〜６のいずれか１項に記載の給湯システムにおいて、
前記貯湯タンクの湯切れ状態を検知する湯切れ検知手段と、
前記接続箇所から前記給湯路の下流側に流れる湯水を加熱する第２熱源機とをさらに備えており、
前記温調制御手段は、前記給湯路からの出湯を行う運転中に、前記湯切れ検知手段により前記貯湯タンクの湯切れ状態が検知された場合に、前記第２熱源機を作動させると共に、前記混合割合調整弁を前記所定の動作状態に保持するように構成されており、
前記特定状態に係る前記所定の動作状態は、前記湯切れ検知手段により前記貯湯タンクの湯切れ状態が検知されたことに応じて前記温調制御手段により前記混合割合調整弁を制御してなる動作状態であることを特徴とする給湯システム。
【請求項８】
請求項７記載の給湯システムにおいて、
前記給湯路は、浴槽に給湯し得るように該浴槽に接続されており、前記特定状態に係る前記所定の動作状態は、前記浴槽への湯はりを行う湯はり運転中に、前記湯切れ検知手段により前記貯湯タンクの湯切れ状態が検知されたことに応じて前記温調制御手段により前記混合割合調整弁を制御してなる動作状態であることを特徴とする給湯システム。
【請求項９】
請求項１〜８のいずれか１項に記載の給湯システムにおいて、
前記異常対応処理手段が実行する前記異常対応処理は、前記第１熱源機の作動を禁止する処理と、前記いずれかの逆止弁の故障が発生した旨を報知する処理とを含むことを特徴とする給湯システム。
【発明の詳細な説明】
【技術分野】
【０００１】
本発明は、貯湯タンクを有する給湯システムに関する。
【背景技術】
【０００２】
貯湯タンクと、該貯湯タンク内の湯水を加熱するヒートポンプ等の熱源機と、貯湯タンクに接続された給水路及び給湯路と、給水路を、貯湯タンクをバイパスさせて（貯湯タンクを経由させずに）給湯路に接続するバイパス給水路と、給湯路とバイパス給水路との接続箇所に貯湯タンクから流入する湯水とバイパス給水路から流入する水との混合割合を可変的に制御可能に構成された混合割合調整弁とを備える給湯システムが従来より知られている（例えば特許文献１、２を参照）。
【０００３】
この種の給湯システムでは、貯湯タンク内に、加熱された湯が十分に貯まっている状態では、前記混合割合調整弁を制御する（ひいては上記混合割合を調整する）ことで、前記給湯路とバイパス給水路との接続箇所から給湯路の下流側に流れる湯水の温度（給湯温度）を所要の目標温度に制御することが行われる。
【０００４】
また、この種の給湯システムでは、上記特許文献１、２に見られる如く、通常、上記バイパス給水路には、該バイパス給水路での水の逆流を防止する逆止弁が設けられている。
【０００５】
なお、本明細書では、「湯水」は、加熱されて昇温した水（湯）又は非加熱状態の水又はこれらの混合水を意味する。
【先行技術文献】
【特許文献】
【０００６】
【特許文献１】特開２０１３−１１３５２２号公報
【特許文献２】特開２００７−１５５１５３号公報
【発明の概要】
【発明が解決しようとする課題】
【０００７】
前記特許文献１、２に見られる給湯システムでは、前記バイパス給水路に設けられている逆止弁が１つである。このため、該逆止弁が閉弁状態に維持されてしまうような故障が発生した場合には、給水路及び給湯路の通水を遮断しない限り、貯湯タンク内の加熱された湯水が、給水路側の水と混合されることなく、給湯路の下流側に流れることとなってしまう。
【０００８】
これを防止するためには、例えば、バイパス給水路に、並列接続された２つの通水路を備えておき、それらの通水路のそれぞれに逆止弁を設けることが考えられる。このようにすることで、いずれか１つの逆止弁の故障が発生しても、貯湯タンク内の加熱された湯水が、給水路側の水と混合されなくなるのを防止することができる。
【０００９】
ただし、この場合であっても、さらに残りの逆止弁までもが故障してしまうと、貯湯タンク内の加熱された湯水が、給水路側の水と混合されることなく、給湯路の下流側に流れることとなってしまう。
【００１０】
従って、上記の如くバイパス給水路の２つの通水路のそれぞれの逆止弁を設けた場合であっても、いずれかの逆止弁の故障が発生した場合には、それを検知して、適切な対処を行うことが望まれる。
【００１１】
本発明はかかる背景に鑑みてなされたものであり、バイパス給水路の逆止弁の故障によって、貯湯タンク内の加熱された湯水に給水路側の水を混合させることができなくなるのを極力防止することができると共に、該逆止弁の故障を適切に検知して、該検知に応じた処置を実行できる給湯システムを提供することを目的とする。
【課題を解決するための手段】
【００１２】
本発明の給湯システムは、かかる目的を達成するために、貯湯タンクと、該貯湯タンク内の湯水を加熱する第１熱源機と、前記貯湯タンクに接続された給水路及び給湯路と、前記給水路を前記貯湯タンクをバイパスさせて前記給湯路に接続するバイパス給水路と、前記給湯路と前記バイパス給水路との接続箇所に前記貯湯タンクから流入する湯水と前記バイパス給水路から流入する水との混合割合を可変的に制御可能に構成された混合割合調整弁と、前記バイパス給水路での水の逆流を防止するように該バイパス給水路に設けられた逆止弁と、前記接続箇所の下流側で前記給湯路を流れる湯水の温度を制御するための制御処理として、少なくとも前記混合割合調整弁を制御する処理を実行可能に構成された温調制御手段とを備える給湯システムであって、
前記バイパス給水路は、前記給水路と給湯路との間で互いに並列に接続された２つの通水路を備えており、
前記逆止弁は、前記バイパス給水路の２つの通水路のそれぞれに設けられており、
前記接続箇所に前記貯湯タンクから流入する湯水の流量である第１流量と、前記接続箇所に前記バイパス給水路から流入する水の流量である第２流量と、前記接続箇所から前記給湯路の下流側に流れる湯水の流量である第３流量とのうちの少なくとも２つの流量を検出する流量検出手段と、
前記混合割合調整弁があらかじめ定められた所定の動作状態に制御されているという条件を少なくとも満たす特定状態で前記給水路及び給湯路の通水が行われる運転中に前記流量検出手段により得られた２つの流量の検出値に基づいて、前記バイパス給水路に設けられた逆止弁のうちのいずれかの逆止弁の故障の発生の有無を検知する故障検知手段と、
該故障検知手段により前記いずれかの逆止弁の故障の発生が検知された場合に、あらかじめ定められた異常対応処理を実行する異常対応処理手段とを備えることを特徴とする（第１発明）。
【００１３】
かかる第１発明によれば、前記バイパス給水路の２つの通水路のそれぞれに前記逆止弁が設けられている。このため、いずれか１つの逆止弁が閉弁状態に保持される故障が発生しても、他の逆止弁が正常である限り、前記接続箇所にバイパス給水路から給水することができる。ひいては、該接続箇所に貯湯タンクから供給される湯水に、バイパス給水路から供給される水を混合させることができる。
【００１４】
ここで、本願発明者の各種実験、検討によって、前記バイパス給水路の２つの通水路のそれぞれに前記逆止弁が設けられている給湯システムにあっては、前記混合割合調整弁をある適切な動作状態に制御した状態における前記第１〜第３流量のうちの任意の２つの流量の値の組に着目した場合、当該２つの流量の値の組が、前記バイパス給水路の２つの通水路に設けられた逆止弁のいずれもが正常である場合と、いずれか一方の逆止弁が閉弁状態に保持される故障が発生した場合とで、比較的顕著な相違を生じやすいことが判明した。
【００１５】
そこで、第１発明では、前記異常対応処理手段は、前記混合割合調整弁があらかじめ定められた所定の動作状態に制御されているという条件を少なくとも満たす特定状態で前記給水路及び給湯路の通水が行われる運転中に前記流量検出手段により得られた２つの流量の検出値に基づいて、前記バイパス給水路に設けられた逆止弁のうちのいずれかの逆止弁の故障の発生の有無を検知する。
【００１６】
これにより、前記異常対応処理手段は、前記いずれかの逆止弁の故障の発生の有無を適切に検知することができる。この場合、混合割合調整弁の前記所定の動作状態は、前記バイパス給水路の２つの通水路に設けられた逆止弁のいずれもが正常である場合と、いずれか一方の逆止弁が閉弁状態に保持される故障が発生した場合とで、前記２つの流量の検出値の組が比較的顕著な相違を生じ得るように、あらかじめ実験等に基づいて定めておけばよい。
【００１７】
そして、第１発明では、該故障検知手段により前記いずれかの逆止弁の故障の発生が検知された場合に、前記異常対応処理が前記異常対応処理手段により実行される。
【００１８】
よって、第１発明によれば、バイパス給水路の逆止弁の故障によって、貯湯タンク内の加熱された湯水に給水路側の水を混合させることができなくなるのを極力防止することができると共に、該逆止弁の故障を適切に検知して、該検知に応じた処置を実行できる。
【００１９】
かかる第１発明では、前記故障検知手段は、前記２つの流量の検出値の比率と所定の判定閾値との大小関係の判定結果に基づいて、前記いずれかの逆止弁の故障の発生の有無を検知するように構成されていることが好ましい（第２発明）。
【００２０】
すなわち、前記特定状態での前記２つの流量の検出値の比率の大きさは、前記バイパス給水路の２つの通水路に設けられた逆止弁のいずれもが正常である場合と、いずれか一方の逆止弁が閉弁状態に保持される故障が発生した場合とで、比較的大きく相違する。
【００２１】
従って、第２発明によれば、前記２つの流量の検出値の比率と所定の判定閾値との大小関係の判定結果に基づいて、前記いずれかの逆止弁の故障の発生の有無を適切に検知できる。
【００２２】
上記第２発明では、前記流量検出手段が検出する流量は前記第３流量を含んでおり、前記故障検知手段は、前記第３流量の検出値に応じて前記所定の判定閾値を可変的に設定する機能を含むことが好ましい（第３発明）。
【００２３】
ここで、前記比率は、前記逆止弁のいずれもが正常である場合と、いずれか一方の逆止弁が閉弁状態に保持される故障が発生した場合とのいずれの場合であっても、前記比率は、一般に前記第３流量の値に応じて変化する。
【００２４】
そこで、第３発明では、上記の如く前記第３流量の検出値に応じて前記所定の判定閾値を可変的に設定する。これにより、前記第３流量の幅広い範囲内で、前記いずれかの逆止弁の故障の発生の有無を適切に検知できる。
【００２５】
さらに、上記第２発明又は第３発明では、前記故障検知手段は、前記比率と前記所定の判定閾値との大小関係が、あらかじめ定められた関係となる状態が、所定時間以上継続した場合に、前記いずれかの逆止弁の故障の発生を検知するように構成されていることが好ましい（第４発明）。
【００２６】
これによれば、給水圧の一時的な変動等に起因して、前記比率と前記所定の判定閾値との大小関係が、一時的に、前記あらかじめ定められた関係となっても、前記故障検知部が、直ちに、前記いずれかの逆止弁の故障が発生したと判断してしまうのを防止できる。このため、前記故障検知部による検知結果の信頼性を高めることができる。
【００２７】
また、前記第１〜第４発明では、前記流量検出手段が検出する流量は前記第３流量を含んでおり、前記特定状態は、前記混合割合調整弁が前記所定の動作状態に制御されているという条件に加えて、前記第３流量の検出値が所定値以上であるという条件をさらに満たす状態であることが好ましい（第５発明）。
【００２８】
ここで、前記第３流量が比較的小さい状態では、前記２つの流量の検出値の組は、前記逆止弁のいずれもが正常である場合と、いずれか一方の逆止弁が閉弁状態に保持される故障が発生した場合とで、顕著な相違が生じ難くなりやすい。
【００２９】
そこで、第５発明では、前記混合割合調整弁が前記所定の動作状態に制御されているという条件に加えて、前記第３流量の検出値が所定値以上であるという条件をさらに満たす状態を前記特定状態として採用した。
【００３０】
これにより、前記故障検知部による検知結果の信頼性を高めることができる。
【００３１】
上記第１〜第５発明では、前記混合割合調整弁の前記所定の動作状態は、前記バイパス給水路に設けられた全ての前記逆止弁が正常である場合における前記給水路及び給湯路の通水時に、前記第１流量よりも前記第２流量の方が大きくなる動作状態であることが好ましい（第６発明）。
【００３２】
これによれば、前記逆止弁のいずれもが正常である場合と、いずれか一方の逆止弁が閉弁状態に保持される故障が発生した場合とで、前記２つの流量の検出値の組の相違を、好適に顕著なものとすることができる。その結果、前記故障検知部による検知結果の信頼性を高めることができる。
【００３３】
上記第１〜第６発明では、前記温調制御手段が、前記接続箇所の下流側で前記給湯路を流れる湯水の温度を制御するための制御処理として、前記混合割合調整弁を制御する処理を実行している状態では、一般には、該混合割合調整弁が前記所定の動作状態に制御されるとは限られない。また、混合割合調整弁が前記所定の動作状態に制御されたとしても、その状態が瞬時的なものとなってしまう場合も多い。
【００３４】
そこで、上記第１〜第６発明では、前記貯湯タンクの湯切れ状態を検知する湯切れ検知手段と、前記接続箇所から前記給湯路の下流側に流れる湯水を加熱する第２熱源機とをさらに備えており、前記温調制御手段は、前記給湯路からの出湯を行う運転中に、前記湯切れ検知手段により前記貯湯タンクの湯切れ状態が検知された場合に、前記第２熱源機を作動させると共に、前記混合割合調整弁を前記所定の動作状態に保持するように構成されており、前記特定状態に係る前記所定の動作状態は、前記湯切れ検知手段により前記貯湯タンクの湯切れ状態が検知されたことに応じて前記温調制御手段により前記混合割合調整弁を制御してなる動作状態であることが好ましい（第７発明）。
【００３５】
なお、貯湯タンクの上記湯切れ状態は、前記接続箇所の下流側で前記給湯路を流れる湯水の温度の制御目標（目標温度）よりも高い温度の湯水が、該貯湯タンク内に無いか、もしくはほとんど無い状態である。この状態は、換言すれば、前記混合割合調整弁を制御しても、前記接続箇所の下流側で前記給湯路を流れる湯水の温度を目標温度に制御することができない状態である。
【００３６】
上記第７発明によれば、前記温調制御手段は、前記給湯路からの出湯を行う運転中に、前記湯切れ検知手段により前記貯湯タンクの湯切れ状態が検知された場合に、前記第２熱源機を作動させると共に、前記混合割合調整弁を前記所定の動作状態に保持する。
【００３７】
この場合、第２熱源機を作動させることで、前記接続箇所の下流側で前記給湯路を流れる湯水の温度を制御することができる。従って、該湯水の温度の制御を適切に行いつつ、前記混合割合調整弁を強制的に前記所定の動作状態に保持することができる。
【００３８】
ひいては、前記故障検知手段によって、いずれかの逆止弁の故障の発生の有無を検知する処理の実行頻度を高めることができる。
【００３９】
また、当該故障の発生の有無の検知を、混合割合調整弁の動作状態が前記所定の動作状態に安定した状態で行うことが可能となるので、当該故障の発生の有無の検知の信頼性を高めることができる。
【００４０】
上記第７発明では、前記給湯路は、浴槽に給湯し得るように該浴槽に接続されている場合には、前記特定状態に係る前記所定の動作状態は、前記浴槽への湯はりを行う湯はり運転中に、前記湯切れ検知手段により前記貯湯タンクの湯切れ状態が検知されたことに応じて前記温調制御手段により前記混合割合調整弁を制御してなる動作状態であることが好ましい（第８発明）。
【００４１】
ここで、前記湯はり運転時には、前記貯湯タンクの湯切れ状態が発生しやすい。また、該湯切れ状態の発生後、前記混合割合調整弁を、比較的長い時間にわたって、前記所定の動作状態に保持することが可能である。
【００４２】
このため、第８発明によれば、前記いずれかの逆止弁の故障の発生の有無を検知することを、湯はり運転時に高い信頼性で行うことができる。
【００４３】
また、上記第１〜第８発明では、前記異常対応処理手段が実行する前記異常対応処理は、前記第１熱源機の作動を禁止する処理と、前記いずれかの逆止弁の故障が発生した旨を報知する処理とを含むことが好ましい（第９発明）。
【００４４】
これによれば、いずれかの逆止弁が故障している状態で、第１熱源機によって、貯湯タンクの湯水の加熱が行われるのが防止される。また、前記報知によって、ユーザは、前記いずれかの逆止弁の故障が発生したことを認識できるので、業者への修理依頼等を適切に行うことができる。
【図面の簡単な説明】
【００４５】
【図１】本発明の一実施形態の給湯システムの構成を示す図。
【図２】図１の給湯システムの制御処理に関する構成を示すブロック図。
【図３】図２に示す制御装置の処理を示すフローチャート。
【図４】図３のＳＴＥＰ１０の処理を説明するためのグラフ。
【発明を実施するための形態】
【００４６】
本発明の一実施形態を図１〜図４を参照して以下に説明する。図１を参照して、本実施形態の給湯システム１は、貯湯タンク２と、第１熱源機３と、第２熱源機４とを備える。
【００４７】
第１熱源機３は、貯湯タンク２内の湯水を加熱する熱源機である。該第１熱源機３は、本実施形態では、例えばヒートポンプ装置である。以降、第１熱源機３をヒートポンプ装置３という。
【００４８】
ヒートポンプ装置３は、図示を省略する圧縮機、凝縮器、膨張機、蒸発器等が冷媒の循環路に配設された公知の構成のものである。該ヒートポンプ装置３は、貯湯タンク２との間で湯水を循環させる循環流路１０を介して貯湯タンク２に接続されている。該循環流路１０は、貯湯タンク２の下部をヒートポンプ装置３に接続する往路側流路１０ａと、貯湯タンク２の上部をヒートポンプ装置３に接続する復路側流路１０ｂとから構成されている。
【００４９】
そして、往路側流路１０ａ及び復路側流路１０ｂのいずれか一方、例えば往路側流路１０ａに循環ポンプ１１が介装されている。この循環ポンプ１１を作動させることで、貯湯タンク２内の湯水が、往路側流路１０ａ、ヒートポンプ装置３（詳しくは、ヒートポンプ装置３の凝縮器）、復路側流路１０ｂを順に経由して貯湯タンク２に還流するようになっている。
【００５０】
このとき、ヒートポンプ装置３は、往路側流路１０ａから供給される湯水と、圧縮機で加圧・昇温された冷媒との熱交換を凝縮器で行うことによって、該湯水を加熱する。
【００５１】
また、循環流路１０の往路側流路１０ａには、貯湯タンク２からヒートポンプ装置３に供給される湯水の温度を検出する温度センサ１２が装着され、復路側流路１０ｂには、ヒートポンプ装置３から貯湯タンク２に供給される湯水の温度を検出する温度センサ１３が装着されている。
【００５２】
貯湯タンク２は給湯用の湯水を蓄える蓄熱タンクである。この貯湯タンク２の上部の内部には、その内部の湯水の温度を検出する温度センサ１５が所定の高さ位置で配置されている。
【００５３】
また、貯湯タンク２には、上記循環流路１０の他、給水路２１および給湯路３１が接続されている。
【００５４】
給水路２１は、その上流側が図示しない給水源に接続され、下流端が貯湯タンク２の下部に接続されている。そして、給水路２１には、給水圧を減圧する減圧弁２２と、給水路２１での水の逆流を防止する逆止弁２３とが上流側から順に介装されている。
【００５５】
また、給水路２１は、貯湯タンク２をバイパスさせて（貯湯タンク２を経由させずに）給湯路３１に給水し得るように、バイパス給水路２４を介して給湯路３１に接続されている。
【００５６】
該バイパス給水路２４は、その上流端が、給水路２１のうちの前記減圧弁２２と逆止弁２３との間の途中箇所Ｘ１にて該給水路２１に接続され、下流端が、給湯路３１の途中箇所Ｘ２に介装された混合割合調整弁３２（詳細は後述する）を介して該給湯路３１に接続されている。
【００５７】
バイパス給水路２４は、その中間部分が、互いに並列に接続された２つの通水路２４ａ，２４ａにより構成されている。そして、２つの通水路２４ａ，２４ａのそれぞれにバイパス給水路２４での水の逆流を防止する逆止弁２５，２５が介装されている。これらの逆止弁２５，２５は、その流路面積等の仕様が互いに同一である。
【００５８】
また、バイパス給水路２４には、該バイパス給水路２４から給湯路３１に流れる水の流量（以降、バイパス給水流量という）を検出する流量センサ２６が通水路２４ａ，２４ａの下流側で装着されている。
【００５９】
給湯路３１は、貯湯タンク２の上部から導出されている。そして、給湯路３１は、上記途中箇所Ｘ２（バイパス給水路２４との接続箇所）に介装された混合割合調整弁３２と、第２熱源機４とを順に経由した後、台所、洗面所、浴室等の給湯対象場所（湯の供給対象場所）に配置されるカラン等の給湯口（図示省略）に至るように配設されている。
【００６０】
上記混合割合調整弁３２は、貯湯タンク２から供給される湯水とバイパス給水路２４から供給される水とを混合してなる湯水を給湯路３１の下流側に流すと共に、貯湯タンク２から供給される湯水とバイパス給水路２４から供給される水との混合割合（流量比）を可変的に制御し得る弁機構である。該混合割合調整弁３２は、例えば電動式の三方弁により構成される。
【００６１】
より詳しくは、混合割合調整弁３２は、上流側の給湯路３１に接続される第１入口ポートと、バイパス給水路２４に接続される第２入口ポートと、下流側の給湯路３１に接続される出口ポートとを有する。そして、混合割合調整弁３２は、第１入口ポートから出口ポートに至る流路の開度と、第２入口ポートから出口ポートに至る流路の開度との比率を、ステッピングモータ等の電動モータによって変化させることができるように構成されている。これにより、上記混合割合を可変的に制御することが可能となっている。
【００６２】
この場合、混合割合調整弁３２の第１入口ポートに貯湯タンク２から流入する湯水の流量（以降、タンク出湯流量という）をＷａ、混合割合調整弁３２の第２入口ポートにバイパス給水路２４から流入する水の流量（すなわち前記バイパス給水流量）をＷｂ、混合割合調整弁３２の出口ポートから給湯路３１の下流側に流出する水の流量（以降、総給湯流量という）をＷｃと表記すると、Ｗａ／Ｗｃ（又はＷｂ／Ｗｃ）をゼロから１までの範囲内で変化させることが可能となっている。なお、Ｗｃ＝Ｗａ＋Ｗｂである。
【００６３】
補足すると、本実施形態では、混合割合調整弁３２を上記の如く電動式の三方弁により構成した。ただし、例えば、給湯路３１とバイパス給水路２４との接続箇所（途中箇所Ｘ２）の上流側の給湯路３１とバイパス給水路２４とにそれぞれ流量制御弁を介装し、これらの流量制御弁を、混合割合調整弁として構成することも可能である。
【００６４】
混合割合調整弁３２の上流側の給湯路３１には、上記タンク出湯流量を検出する流量センサ３３が装着されている。
【００６５】
混合割合調整弁３２の下流側の給湯路３１のうち、第２熱源機４の上流側の途中箇所Ｘ３と第２熱源機４の下流側の途中箇所Ｘ４とは、バイパス給湯路３４を介して接続されている。このバイパス給湯路３４により、第２熱源機４の上流側の途中箇所Ｘ３から下流側の途中箇所Ｘ４に、該第２熱源機４をバイパスさせて（第２熱源機４を経由させずに）湯水を流すことが可能となっている。そして、バイパス給湯路３４には、これを開閉可能なバイパス制御弁３５が介装されている。
【００６６】
また、混合割合調整弁３２と上記途中箇所Ｘ３との間の給湯路３１には、混合割合調整弁３２の出口ポートから給湯路３１の下流側に流出する湯水の温度（以降、混合給湯温度という）を検出する温度センサ３６が装着されている。
【００６７】
さらに、上記途中箇所Ｘ４の下流側の給湯路３１には、給湯対象場所の給湯口に供給される湯水の温度を検出する温度センサ３７が装着されている。
【００６８】
第２熱源機４は、給湯路３１で給湯対象場所の給湯口に供給される湯水を必要に応じて加熱する熱源機である。この第２熱源機４は、本実施形態では、例えば燃焼式熱源機である。以降、第２熱源機４を燃焼式熱源機４という。
【００６９】
この燃焼式熱源機４は、ガスバーナ等のバーナ４１と、該バーナ４１の燃焼熱により加熱される熱交換器４２とを備える。そして、燃焼式熱源機４に導入された給湯路３１は、該燃焼式熱源機４の上流側から熱交換器４２を経由して下流側に至るように配設されている。
【００７０】
燃焼式熱源機４は、さらに、熱交換器４２の上流側から下流側に該熱交換器４２をバイパスさせて（該熱交換器４２を経由させずに）湯水を流すバイパス流路４３と、熱交換器４２の下流側から浴槽Ｂに湯はり用の湯水を供給する湯はり流路４４とを備える。
【００７１】
バイパス流路４３は、燃焼式熱源機４の内部の給湯路３１のうち、熱交換器４２の上流側の途中箇所と熱交換器４２の下流側の途中箇所とを接続している。そして、熱交換器４２の上流側における給湯路３１とバイパス流路４３との接続箇所には、該接続箇所から熱交換器４２に流れる湯水の流量と、バイパス流路４３に流れる湯水の流量との比率（バイパス比）を調整するためのバイパスサーボ弁４５が介装されている。該バイパスサーボ弁４５は、例えば電動式の三方弁により構成される。
【００７２】
湯はり流路４４は、熱交換器４２の下流側の給湯路３１から分岐されて、浴槽Ｂに至るように配設されている。そして、この湯はり流路４４には、該湯はり流路４４を開閉する湯はり弁４６が介装されている。
【００７３】
また、燃焼式熱源機４の内部の給湯路３１には、燃焼式熱源機４に供給される湯水の全体の流量をバイパスサーボ弁４５の上流側で検出する流量センサ４７と、熱交換器４２の下流側におけるバイパス流路４３との接続箇所の上流側にて熱交換器４２から流出する湯水の温度を検出する温度センサ４８と、熱交換器４２の下流側におけるバイパス流路４３との接続箇所の下流側に流れる湯水の温度を検出する温度センサ４９とが装着されている。
【００７４】
さらに、湯はり流路４４には、該湯はり流路４４で浴槽Ｂに供給される湯水の流量を検出する流量センサ５０が装着されている。
【００７５】
本実施形態の給湯システム１は、さらに、図２に示すように、該給湯システム１の運転制御を行う制御装置６０と、給湯システム１の運転に関する操作をユーザが行うためのリモコン６１とを備える。該制御装置６０及びリモコン６１は、有線又は無線により相互に通信可能である。
【００７６】
リモコン６１は、ユーザによる図示しない操作スイッチの操作、あるいは音声入力等に応じて、給湯システム１の給湯運転のオンオフ、浴槽Ｂの湯はり運転のオンオフ、給湯路３１で給湯口に供給する湯水の目標温度である目標給湯温度、浴槽Ｂの湯はりの目標温度である目標湯はり温度等の運転操作情報を制御装置６０に指示するように構成された端末機器である。該リモコン６１には、給湯システム１の異常情報等を含む各種情報を表示する表示器６１ａが備えられている。
【００７７】
制御装置６０は、ＣＰＵ、ＲＡＭ、ＲＯＭ、インターフェース回路等を含む電子回路ユニットにより構成される。なお、制御装置６０は、相互に通信可能な複数の電子回路ユニットにより構成されていてもよい。
【００７８】
制御装置６０には、前記した各センサ（温度センサ１２，１３，１５，３６，３７，４８，４９、流量センサ２６，３３，４７，５０）の検出データが入力される共に、リモコン６１から運転操作情報が入力される。
【００７９】
そして、制御装置６０は、ヒートポンプ装置３、燃焼式熱源機４、循環ポンプ１１、混合割合調整弁３２、バイパス制御弁３５等の作動制御を行うことで、給湯システム１の運転制御を行う。
【００８０】
この場合、制御装置６０は、実装されるプログラムを実行することにより実現される機能、あるいは、ハードウェア構成により実現される機能として、混合割合調整弁３２から下流側の給湯路３１に流れる湯水の温度を制御するための制御処理を実行する温調制御部７１と、前記タンク出湯流量Ｗａ、バイパス給水流量Ｗｂ、及び総給湯流量Ｗｃのうちの２つの流量、例えばＷｂ及びＷｃを検出する流量検出部７２と、前記バイパス給水路２４に備えた逆止弁２５，２５のいずれかの故障の発生の有無を検知する故障検知部７３と、貯湯タンク２の湯切れ状態を検知する湯切れ検知部７４と、逆止弁２５，２５のいずれかの故障が検知された場合等に異常対応処理を実行する異常対応処理部７５とを備える。
【００８１】
なお、温調制御部７１、流量検出部７２、故障検知部７３、湯切れ検知部７４、異常対応処理部７５は、それぞれ、本発明における温調制御手段、流量検出手段、故障検知手段、湯切れ検知手段、異常対応処理手段に相当する。
【００８２】
また、タンク出湯流量Ｗａ、バイパス給水流量Ｗｂ、及び総給湯流量Ｗｃは、それぞれ、本発明における第１流量、第２流量、第３流量に相当する。
【００８３】
上記温調制御部７１は、温調制御処理として、混合割合調整弁３２、バイパス制御弁３５及び燃焼式熱源機４の作動制御を行う。
【００８４】
上記流量検出部７２は、前記流量センサ２６，３３の検出データに基づいて、バイパス給水流量Ｗｂ及び総給湯流量Ｗｃのそれぞれの検出値を取得する。この場合、流量検出部７２は、流量センサ２６の検出データにより示される流量検出値を、バイパス給水流量Ｗｂの検出値として取得する。また、流量検出部７２は、流量センサ２６，３３のそれぞれの検出データにより示される流量検出値を加算してなる値を総給湯流量Ｗｃの検出値として取得する。
【００８５】
上記故障検知部７３は、混合割合調整弁３２が所定の動作状態に制御された状態でのバイパス給水流量Ｗｂ及び総給湯流量Ｗｃの検出値の比率（Ｗｂ／Ｗｃ）に基づいて、逆止弁２５，２５のいずれかの故障の発生の有無を検知する。
【００８６】
この場合、混合割合調整弁３２の所定の動作状態は、該混合割合調整弁３２の第１入口ポートから出口ポートに至る流路の開度と、第２入口ポートから出口ポートに至る流路の開度とが所定の一定開度に維持される状態である。
【００８７】
この所定の動作状態は、逆止弁２５，２５のいずれかの故障の発生の有無を高い信頼性で検知し得るように、あらかじめ実験等に基づいて定められたものである。具体的には、混合割合調整弁３２の当該所定の動作状態は、逆止弁２５，２５の両方が正常である場合に、当該所定の動作状態でのバイパス給水流量Ｗｂが、タンク出湯流量Ｗａよりも若干大きくなる（例えばＷｂ：Ｗａが概ね７：３となる）ような動作状態である。以降、当該動作状態を、逆止弁故障検知用動作状態という。
【００８８】
湯切れ検知部７４は、貯湯タンク２内の前記温度センサ１５の検出データに基づいて貯湯タンク２の湯切れ状態を検知する。該湯切れ状態は、貯湯タンク２内に、所定温度以上の湯量が不足している状態である。本実施形態では、該湯切れ状態は、浴槽Ｂの湯はりを行う湯はり運転時において、温度センサ１５の検出データにより示される温度検出値が、リモコン６１で設定された目標湯はり温度以下の温度となる状態が、貯湯タンク２の湯切れ状態として検知される。
【００８９】
次に、本実施形態の給湯システム１の作動を説明する。まず、給湯システム１の基本的な作動を説明する。
【００９０】
給湯システム１の電源投入状態（給湯運転等を行い得る状態）で、制御装置６０は、貯湯タンク２内の湯水を温度を、所定の温度（例えば４５℃、５５℃、６５℃等）以上の温度に保つように、ヒートポンプ装置３を適宜作動させる。
【００９１】
この場合、制御装置６０は、前記温度センサ１５の検出データにより示される温度検出値が上記所定の温度以下に低下する等の条件（貯湯タンク２内の湯水の沸き上げを行うための必要条件）が成立すると、該温度検出値が上記所定の温度よりも若干高い温度に昇温するまで、循環ポンプ１１を作動させつつ、ヒートポンプ装置３を作動させる。
【００９２】
また、制御装置６０は、給湯対象場所のカランの開栓等により給水路２１及び給湯路３１の通水が開始されると、それを流量センサ２６，３３の検出データに基づき検知する。そして、制御装置６０は、当該通水の検知に応じて、給湯対象場所の給湯口に供給される湯水の温度（給湯温度）を、リモコン６１で設定された目標給湯温度に一致もしくはほぼ一致させるための制御処理（温調制御処理）を実行する。
【００９３】
この制御処理では、制御装置６０は、貯湯タンク２内の温度センサ１５の検出データにより示される温度（以下、タンク内温度という）の検出値が、リモコン６１で設定された目標給湯温度よりも高い場合には、バイパス給湯路３４のバイパス制御弁３５を開弁制御すると共に、燃焼式熱源機４の作動を停止した状態（バーナ４１の消火状態）で、温度センサ３６（又は温度センサ３７）の検出データより示される温度検出値が、目標給湯温度に所定の温度範囲内でほぼ一致するように、混合割合調整弁３２をフィードバック制御する。なお、この場合、混合割合調整弁３２から下流側の給湯路３１に流れる湯水の大部分は、バイパス給湯路３４を通って下流側に流れる。
【００９４】
そして、給湯運転の継続等によって貯湯タンク２が湯切れ状態となって、タンク内温度の検出値が、目標給湯温度以下の温度に低下すると、燃焼式熱源機４の作動を開始させる（バーナ４１の燃焼運転を開始させる）。
【００９５】
さらに、制御装置６０は、温度センサ３７の検出データにより示される温度検出値が、目標給湯温度に所定の温度範囲内でほぼ一致するように、バイパス制御弁３５の開度と、燃焼式熱源機４のバイパスサーボ弁４５によるバイパス比と、バーナ４１の燃焼量とを制御する。なお、このとき、バイパス制御弁３５を閉弁制御してもよい。
【００９６】
また、制御装置６０は、リモコン６１で浴槽Ｂの湯はり運転（自動湯はり運転）を行うべきことが指示された場合には、湯はり弁４６を開弁制御して、浴槽Ｂへの通水を開始する。
【００９７】
そして、制御装置６０は、温度センサ１５の検出データに示されるタンク内温度の検出値が、リモコン６１で設定された目標湯はり温度よりも高い場合には、燃焼式熱源機４の作動を停止した状態（バーナ４１の消火状態）で、燃焼式熱源機４の温度センサ４９の検出データより示される温度検出値が、目標湯はり温度に所定の温度範囲内でほぼ一致するように、混合割合調整弁３２を制御する。
【００９８】
さらに、湯はりの進行に伴い、貯湯タンク２が湯切れ状態となって、タンク内温度の検出値が、目標湯はり温度以下の温度に低下すると、制御装置６０は、燃焼式熱源機４の作動を開始させる（バーナ４１の燃焼運転を開始させる）と共に、混合割合調整弁３２を一定の動作状態に保持する。
【００９９】
そして、制御装置６０は、温度センサ４９の検出データにより示される温度検出値が、目標湯はり温度に所定の温度範囲内でほぼ一致するように、燃焼式熱源機４のバイパスサーボ弁４５によるバイパス比と、バーナ４１の燃焼量とを制御する。
【０１００】
本実施形態の給湯システム１では、基本的には、以上の如く、貯湯タンク２内の湯水を加熱する運転、給湯対象場所の給湯口への給湯を行う給湯運転、及び浴槽Ｂへの湯はりを行う湯はり運転が行われる。
【０１０１】
ここで、本実施形態は、浴槽Ｂの湯はり運転時には、制御装置６０は、バイパス給水路２４の逆止弁２５，２５の故障の発生の有無を検知するための処理も実行する。
【０１０２】
以下、当該処理について説明する。リモコン６１により、浴槽Ｂの湯はり運転（自動湯はり運転）を行うべき旨が指示されると、制御装置６０は、前記湯はり弁４６の開弁制御によって、浴槽Ｂへの通水を行わせつつ、図３のフローチャートに示す処理を実行する。
【０１０３】
ＳＴＥＰ１において、制御装置６０は、ヒートポンプ装置３の運転中（貯湯タンク２内の湯水の沸き上げ運転中）であるか否かを判断する。
【０１０４】
この判断結果が否定的である場合には、制御装置６０は、ＳＴＥＰ２において、浴槽Ｂへの湯はりの積算量（浴槽Ｂへの総通水量）が所定値（例えば１０リットル）に達したか否かを判断し、その判断結果が肯定的になるまでＳＴＥＰ２の判断処理を継続する。
【０１０５】
そして、ＳＴＥＰ２の判断結果が肯定的になると、制御装置６０は、ＳＴＥＰ３において、貯湯タンク２内の湯水の加熱を行うために、ヒートポンプ装置３の運転を開始させる。
【０１０６】
ここで、浴槽Ｂの湯はり運転では、浴槽Ｂへのトータルの通水量が多いため、該湯はり運転の途中で貯湯タンク２が湯切れ状態となる。このため、本実施形態では、湯はり運転の開始後、早期に、ヒートポンプ装置３の運転を開始させるようにしている。
【０１０７】
なお、ＳＴＥＰ２の判断結果が肯定的になるのを待ってから、ヒートポンプ装置３の運転を開始させるのは、次の理由による。すなわち、ユーザが誤って、湯はり運転の実行を指示する操作を行ってしまう場合もあり、その場合には、通常、ＳＴＥＰ２の判断結果が肯定的になる前に、該湯はり運転の実行の指示が速やかに取り消される。ひいては、制御装置６０は、湯はり弁４６を閉弁制御して、浴槽Ｂへの通水を中止することとなる。
【０１０８】
このような場合には、ＳＴＥＰ２の判断結果が肯定的にならないため、ヒートポンプ装置３の不要な運転を開始してしまうのが防止される。
【０１０９】
ＳＴＥＰ１の判断結果が否定的である場合（ヒートポンプ装置３の運転が行われていない場合）には、制御装置６０は、上記ＳＴＥＰ２、３の処理を経て、ＳＴＥＰ４の処理を実行する。また、ＳＴＥＰ１の判断結果が肯定的である場合（ヒートポンプ装置３の運転が既に行われている場合）には、制御装置６０は、上記ＳＴＥＰ２、３の処理を実行することなく、ＳＴＥＰ４の処理を実行する。
【０１１０】
ＳＴＥＰ４では、制御装置６０は、貯湯タンク２内の温度センサ１５の検出データにより示されるタンク内温度の検出値が、リモコン６１で設定された目標湯はり温度以下の温度であるか否かを判断する。このＳＴＥＰ４の判断処理が、前記湯切れ検知部７４により実行される判断処理である。
【０１１１】
この場合、ＳＴＥＰ４の判断結果が否定的となる状態は、貯湯タンク２の湯切れ状態でない状態（貯湯タンク２から目標湯はり温度よりも高い温度の湯を出湯し得る状態）である。この状態では、制御装置６０は、湯切れ検知部７４によるＳＴＥＰ４の判断処理を継続する。なお、この状況では、前記した混合割合調整弁３２のフィードバック制御によって、浴槽Ｂに供給される湯水の温度が、目標湯はり温度に所定の温度範囲内でほぼ一致するように制御される。
【０１１２】
浴槽Ｂの湯はりが進行すると、やがて、ＳＴＥＰ４の判断結果が肯定的になる。すなわち、貯湯タンク２が湯切れ状態となる。
【０１１３】
このようにＳＴＥＰ４の判断結果が肯定的になると、制御装置６０は次に、ＳＴＥＰ５において、浴槽Ｂに供給する湯水を燃焼式熱源機４で加熱するために、該燃焼式熱源機４の運転（バーナ４１の燃焼運転）を開始させる。この燃焼式熱源機４の運転により、前記した如く、浴槽Ｂに供給される湯水の温度が、目標湯はり温度に所定の温度範囲内でほぼ一致するように制御される。
【０１１４】
さらに、制御装置６０は、ＳＴＥＰ６において、混合割合調整弁３２を前記逆止弁故障検知用動作状態に制御する。
【０１１５】
なお、本実施形態では、上記ＳＴＥＰ５，６の処理は、前記温調制御部７１により実行される処理である。
【０１１６】
次いで、ＳＴＥＰ７において、制御装置６０は、混合割合調整弁３２が逆止弁故障検知用動作状態に制御された状態でのバイパス給水流量Ｗｂ及び総給湯流量Ｗｃの検出値を前記流量検出部７２で取得する。
【０１１７】
さらに、制御装置６０は、ＳＴＥＰ８において、バイパス給水流量Ｗｂ及び総給湯流量Ｗｃの検出値の比率（Ｗｂ／Ｗｃ）（以降、流量比率Ｒという）に基づいて、いずれかの逆止弁２５，２５の故障が発生したか否かを判断する。
【０１１８】
このＳＴＥＰ８の判断処理が前記故障検知部７３により実行される判断処理である。この判断処理では、具体的には、制御装置６０の故障検知部７３は、上記流量比率Ｒが所定の判定閾値よりも小さいという状態が、所定時間（例えば１０秒間）継続するという条件が成立するか否かを判断する。
【０１１９】
そして、故障検知部７３は、当該条件が成立した場合に、いずれかの逆止弁２５の故障が発生したと判断し、当該条件が成立しない場合には、いずれかの逆止弁２５の故障が発生していない（両方の逆止弁２５，２５が正常である）と判断する。
【０１２０】
この場合、故障検知部７３は、上記判定閾値を、図４のグラフで示すように、総給湯流量Ｗｃの検出値に応じて可変的に設定する。
【０１２１】
ここで、図４に示すグラフａは、逆止弁２５，２５の両方が正常である場合における総給湯流量Ｗｃと前記流量比率Ｒ（＝Ｗｂ／Ｗｃ）との関係を例示するグラフ、グラフｂは、いずれか一方の逆止弁２５が閉弁状態に保持される故障が発生した場合における総給湯流量Ｗｃと前記流量比率Ｒ（＝Ｗｂ／Ｗｃ）との関係を例示するグラフである。なお、グラフａ，ｂは、混合割合調整弁３２の動作状態を前記逆止弁故障検知用動作状態で一定に維持した状態での実測データにより得られた一例のグラフである。
【０１２２】
これらのグラフａ，ｂに示されるように、流量比率Ｒは、基本的には、総給湯流量Ｗｃが大きいほど、小さくなる。そして、いずれか一方の逆止弁２５が閉弁状態に保持される故障が発生した場合には、バイパス給水路２４の流路抵抗が増加するために、流量比率Ｒは、逆止弁２５，２５の両方が正常である場合に比べて、小さくなる。
【０１２３】
特に、混合割合調整弁３２の動作状態を前記逆止弁故障検知用動作状態で一定に維持した状態では、いずれか一方の逆止弁２５が閉弁状態に保持される故障が発生した場合と、逆止弁２５，２５の両方が正常である場合とでは、総給湯流量Ｗｃの幅広い範囲（例えば図４においてＷｃ≧Ｗ１となる範囲）において、前者の場合（故障発生の場合）の流量比率Ｒが、後者の場合（正常な場合）の流量比率Ｒよりも顕著に小さなものとなる。
【０１２４】
そこで、本実施形態におけるＳＴＥＰ８の判断処理では、故障検知部７３は、図４に示す如く、総給湯流量Ｗｃの検出値がＷ１≦Ｗｃ＜Ｗ２となる範囲と、Ｗ２≦Ｗｃ＜Ｗ３となる範囲と、Ｗ３≦Ｗｃ＜Ｗ４となる範囲と、Ｗ４≦Ｗｃとなる範囲とで、それぞれ、互いに異なる判定閾値Ｒth1，Ｒth2，Ｒth3，Ｒth4を設定する。
【０１２５】
この場合、上記Ｗ１，Ｗ２，Ｗ３，Ｗ４は、あらかじめ実験等に基づいて決定した所定値であり、例えば、Ｗ１＝８リットル／分、Ｗ２＝１０リットル／分、Ｗ３＝１２リットル／分、Ｗ４＝１８リットル／分である。
【０１２６】
また、判定閾値Ｒth1，Ｒth2，Ｒth3，Ｒth4は、総給湯流量Ｗｃが大きいほど、小さくなるように、あらかじめ実験等に基づいて設定されている。一例として、Ｒth1，Ｒth2，Ｒth3，Ｒth4は、それぞれ、０．６９，０．６７，０．６５，０．６３である。
【０１２７】
制御装置６０の故障検知部７３は、上記の如く総給湯流量Ｗｃに応じて可変的に設定した判定閾値Ｒth1又はＲth2又はＲth3又はＲth4を用いて、ＳＴＥＰ８の判断処理を実行する。これにより、いずれかの逆止弁２５，２５の故障（閉弁状態に保持される故障）が発生したか否かが適切に判断される。
【０１２８】
この場合、Ｒ＜判定閾値となる状態が、所定時間（１０秒）継続することを必要条件として、いずれかの逆止弁２５，２５の故障が発生したと判断されるので、給水圧の一時的な変動等に起因して、一時的にＲ＜判定閾値となった場合に、直ちに、いずれかの逆止弁２５，２５の故障が発生したものと判断されてしまうようなことを防止できる。
【０１２９】
なお、総給湯流量Ｗｃが上記Ｗ１よりも小さい場合には、いずれか一方の逆止弁２５が閉弁状態に保持される故障が発生した場合と、逆止弁２５，２５の両方が正常である場合とで、流量比率Ｒの顕著な相違が生じ難くなる。このため、本実施形態では、故障検知部７３は、総給湯流量Ｗｃの検出値がＷ１以上であることを必要条件として、逆止弁２５，２５の故障が発生したか否かの実質的な判断を行う。そして、ＳＴＥＰ８において、総給湯流量Ｗｃの検出値がＷ１よりも小さい場合には、故障検知部７３は、暫定的に、逆止弁２５，２５の故障が発生していないものとみなす。
【０１３０】
以上のＳＴＥＰ８の判断処理によって、いずれかの逆止弁２５，２５の故障の発生の有無を高い信頼性で適切に検知できることとなる。
【０１３１】
補足すると、本実施形態では、浴槽Ｂの湯はり運転時に、上記ＳＴＥＰ６で混合割合調整弁３２が逆止弁故障検知用動作状態に制御され、且つ、総給湯流量Ｗｃが、所定値Ｗ１以上となっている状態が、本発明における特定状態に相当する状態である。
【０１３２】
ＳＴＥＰ８の判断結果が否定的である場合（逆止弁２５，２５の両方が正常であると判断された場合）には、制御装置６０は、ＳＴＥＰ９において、浴槽Ｂの湯はりが完了したか否かを判断する。この場合、図示しないセンサにより検出される浴槽Ｂ内の湯量が、リモコン６１であらかじめ設定された目標湯量に達したか否かによって、浴槽Ｂの湯はりが完了したか否かが判断される。
【０１３３】
そして、ＳＴＥＰ９の判断結果が否定的である場合には、制御装置６０は、ＳＴＥＰ７〜９の判断処理を繰り返す。また、ＳＴＥＰ９の判断結果が肯定的になった場合には、制御装置６０は、ＳＴＥＰ１２で燃焼式熱源機４の運転を停止し、図３のフローチャートの処理を終了する。
【０１３４】
一方、ＳＴＥＰ８の判断結果が肯定的である場合（いずれかの逆止弁２５の故障が発生したと判断された場合）には、制御装置６０は、ＳＴＥＰ１０の処理（異常対応処理）を前記異常対応処理部７５により実行する。
【０１３５】
この処理では、異常対応処理部７５は、ヒートポンプ装置３の運転を停止させ、さらに、該ヒートポンプ装置３の以後の運転を禁止する。
【０１３６】
さらに、ＳＴＥＰ１０では、異常対応処理部７５は、いずれかの逆止弁２５の故障が発生した旨の報知出力を発生する。具体的には、異常対応処理部７５は、例えばリモコン６１の表示器６１ａに、当該故障の発生を示すエラー情報を表示させる。これにより、ユーザは、当該故障の発生を認識して、業者への連絡等を行うことができる。
【０１３７】
なお、当該故障の発生の報知は、視覚的なものに限らず、音声等による聴覚的な報知であってもよい。また、ＳＴＥＰ１０の異常対応処理は、上記以外の処理を含んでいてもよい。
【０１３８】
ＳＴＥＰ１０の処理に続いて、制御装置６０は、ＳＴＥＰ１１で浴槽Ｂの湯はりが完了したか否かを判断することをＳＴＥＰ９と同様に行う。そして、湯はりが完了すると（ＳＴＥＰ１１の判断結果が肯定的になると）、制御装置６０は、前記ＳＴＥＰ１２で燃焼式熱源機４の運転を停止し、図３のフローチャートの処理を終了する。
【０１３９】
本実施形態の給湯システム１では、以上の如く、浴槽Ｂの湯はりを行う湯はり運転時に、いずれかの逆止弁２５，２５の故障の発生の有無を検知するための処理を実行される。
【０１４０】
以上説明した本実施形態の給湯システム１では、バイパス給水路２４に２つの逆止弁２５，２５が備えられている。このため、貯湯タンク２に目標給湯温度あるいは目標湯はり温度よりも高い温度の湯水が溜まっている状態（湯切れ状態でない状態）で、いずれかの一方の逆止弁２５が閉弁状態に保持される故障が発生しても、混合割合調整弁３２の動作制御によって、給湯口又は浴槽Ｂに供給される湯水の温度を、目標給湯温度あるいは目標湯はり温度に一致もしくはほぼ一致する温度に制御できる。
【０１４１】
また、給水路２１及び給湯路３１での通水が比較的長い時間にわたって継続する浴槽Ｂの湯はり運転時に、貯湯タンク２が湯切れ状態となった場合、すなわち貯湯タンク２から目標湯はり温度よりも高温の湯を出湯できなくなった場合に、混合割合調整弁３２を強制的に逆止弁故障検知用動作状態に制御した上で、前記流量比率Ｒに基づいて、いずれかの逆止弁２５，２５の故障の発生の有無が検知される。
【０１４２】
この場合、前記流量比率Ｒに基づく当該故障の発生の有無の検知は、前記流量比率Ｒが比較的安定し、且つ、いずれかの逆止弁２５，２５の故障が発生している場合と両方の逆止弁２５，２５が正常である場合とで顕著な相違が生じ得る状態にて行われる。
【０１４３】
また、この場合、いずれかの逆止弁２５，２５の故障が発生したと判断されることは、総給湯流量Ｗｃの検出値が所定値Ｗ１以上であることと、Ｒ＜判定閾値となる状態が所定時間以上継続することとを必要条件として行われる。さらに、流量比率Ｒと大小関係を比較する判定閾値は、総給湯流量Ｗｃの検出値に応じて可変的に設定される。
【０１４４】
このため、いずれかの逆止弁２５の故障の発生の有無の検知を高い信頼性で適切に行うことができる。
【０１４５】
ひいては、いずれかの逆止弁２５，２５の故障が発生した場合における前記異常対応処理部７５の処理（ＳＴＥＰ１０の処理）を適切なタイミングで行うことができる。
【０１４６】
なお、本発明は、前記した実施形態に限定されるものではない。以下に、前記実施形態の変形態様をいくつか説明する。
【０１４７】
前記実施形態では、バイパス給水流量Ｗｂ及び総給湯流量Ｗｃの検出値の比率（Ｗｂ／Ｗｃ）である流量比率Ｒに基づいて、いずれかの逆止弁２５，２５の故障の発生の有無を検知するようにした。ただし、例えば上記流量比率Ｒの逆数値（＝Ｗｃ／Ｗｂ）、あるいは、前記タンク出湯流量Ｗａと総給湯流量Ｗｃとの比率（Ｗａ／Ｗｃ又はＷｃ／Ｗａ）、あるいは、バイパス給水流量Ｗｂとタンク出湯流量Ｗａとの比率（Ｗｂ／Ｗａ又はＷａ／Ｗｂ）に基づいて、いずれかの逆止弁２５，２５の故障の発生の有無を検知するようにしてもよい。
【０１４８】
ここで、Ｗａ＋Ｗｂ＝Ｗｃであるので、Ｗｂ／Ｗｃ＜判定閾値となることは、Ｗａ／Ｗｃ＞１−判定閾値であること、あるいは、Ｗａ／Ｗｂ＞（１／判定閾値）−１であることと等価である。
【０１４９】
従って、前記流量比率Ｒ（＝Ｗｂ／Ｗｃ）の代わりに、Ｗａ／Ｗｃ、あるいは、Ｗａ／Ｗｂに基づいて当該故障の発生の有無を検知することができる。さらには、これらの比率の逆数値（Ｗｃ／Ｗｂ、あるいは、Ｗｃ／Ｗａ、あるいは、Ｗｂ／Ｗａ）に基づいて当該故障の発生の有無を検知することができることはもちろんである。
【０１５０】
さらに、Ｗａ，Ｗｂ，Ｗｃのうちのいずれか２つの流量の検出値の組から、例えば、マップを用いて当該故障の発生の有無を検知することも可能である。
【０１５１】
また、前記実施形態では、バイパス給水流量Ｗｂ及びタンク出湯流量Ｗａをそれぞれ検出する流量センサ２６，３３を備えた。但し、例えば、Ｗｂ及びＷａのいずれか一方の代わりに、あるいは、これらに加えて、総給湯流量Ｗｃを検出する流量センサを混合割合調整弁３２の出口ポートの下流側に備えるようにしてもよい。
【０１５２】
また、前記実施形態では、浴槽Ｂの湯はりを行う湯はり運転時にだけ、いずれかの逆止弁２５，２５の故障の発生の有無を検知するようにした。ただし、例えば、給湯対象場所の給湯口に給湯する給湯運転中に、貯湯タンク２が湯切れ状態となった場合（タンク内温度の検出値が目標給湯温度以下になった場合）に、混合割合調整弁３２を逆止弁故障検知用動作状態に制御した上で、Ｗａ，Ｗｂ，Ｗｃのうちの２つの流量の検出値に基づいて、いずれかの逆止弁２５，２５の故障の発生の有無を検知するようにしてもよい。
【０１５３】
さらには、貯湯タンク２が湯切れ状態となっていない場合であっても、給湯運転中あるいは湯はり運転中に、混合割合調整弁３２が、逆止弁故障検知用動作状態もしくはこれに近い動作状態に制御された状態で、Ｗａ，Ｗｂ，Ｗｃのうちの２つの流量の検出値に基づいて、いずれかの逆止弁２５，２５の故障の発生の有無を検知することも可能である。
【０１５４】
また、前記実施形態では、第１熱源機３がヒートポンプ装置であり、第２熱源機４が燃焼式熱源機である給湯システム１について説明したが、第１熱源機３、第２熱源機４は、前記実施形態と異なる種類の熱源機であってもよい。
【符号の説明】
【０１５５】
１…給湯システム、２…貯湯タンク、３…ヒートポンプ装置（第１熱源機）、４…燃焼式熱源機（第２熱源機）、２１…給水路、２４…バイパス給水路、２４ａ…通水路、２５…逆止弁、３１…給湯路、３２…混合割合調整弁、７１…温調制御部（温調制御手段）、７２…流量検出部（流量検出手段）、７３…故障検知部（故障検知手段）、７４…湯切れ検知部（湯切れ検知手段）、７５…異常対応処理部（異常対応処理手段）、Ｂ…浴槽。
【図１】
0006391521.tif 000002
【図２】
0006391521.tif 000003
【図３】
0006391521.tif 000004
【図４】
0006391521.tif 000005